【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
電動駆動装置により正逆回転させられるウォームの軸線方向の移動量に基づいて被動体の開閉に要するトルクを検出する金属製の歪みゲージを有するトルクセンサのゼロ点トルク値を較正する較正装置において、
前記トルクセンサのゼロ点トルク値および所定の基準値を記憶するメインメモリと、
前記電動駆動装置、トルクセンサ、およびメインメモリに接続され、前記電動駆動装置の起動に応動し、前記トルクセンサから出力されるトルク信号を受信し、該トルク信号が経時的に変化するトルク曲線を生成し、前記電動駆動装置の起動から所定時間が経過する前の前記トルク曲線の変化に基づき、前記電動駆動装置が低負荷となる伝達機構空転期間を算出し、かつ前記トルクセンサが前記伝達機構空転期間に出力したトルク信号の値が前記基準値の範囲内であるとき、このトルク信号の値を前記メインメモリに記憶し、前記トルクセンサのゼロ点トルク値を較正する演算処理装置と
を備えたことを特徴とするトルクセンサの較正装置。
【請求項２】
演算処理装置は、電動駆動装置がウォームを介して被動体の全開または全閉状態に保持する停止状態から、逆方向に逆転起動させたとき、前記ウォームと被動体に連結するステムとの間に設けられたハンマーブロー生成機構の空転時から衝接時の間に生じるトルクの変化を、トルクセンサを通じて受信し、トルク曲線を生成する請求項１記載のトルクセンサの較正装置。
【請求項３】
演算処理装置は、電動駆動装置とウォームとの間に設けられたクラッチ機構が、ハンドル操作による手動駆動モードから前記電動駆動装置による電動駆動モードに切り替える際、前記ウォームの回転変位を検出する開度センサから出力される開度信号が変動しないとき、前記電動駆動装置が空転し前記ウォームが無負荷となる伝達機構空転期間のトルクの変化を、前記ウォームからトルクセンサを通じて受信し、トルク曲線を生成する請求項１または２記載のトルクセンサの較正装置。
【請求項４】
演算処理装置は、トルクセンサが伝達機構空転期間に出力したトルク信号の値が基準値の範囲を超えるとき、前記トルクセンサの故障と判定し、故障報知信号を出力する請求項１〜３のいずれかに記載のトルクセンサの較正装置。
【請求項５】
電動駆動装置により正逆回転させられるウォームの軸線方向の移動量に基づいて被動体の開閉に要するトルクを検出する金属製の歪みゲージを有するトルクセンサのゼロ点トルクを較正する較正方法において、
前記ウォームを正逆回転させる電動駆動装置を起動する電動駆動装置起動ステップと、
演算処理装置が、前記電動駆動装置起動ステップにおける電動駆動装置の起動に応動し、前記トルクセンサから出力されるトルク信号を受信し、該トルク信号が経時的に変化するトルク曲線を生成し、前記電動駆動装置の起動から所定時間が経過する前の前記トルク曲線に基づき前記電動駆動装置が低負荷となる伝達機構空転期間を算出し、かつ前記トルクセンサが前記伝達機構空転期間に出力したトルク信号の値がメインメモリに記憶する基準値の範囲内であるとき、このトルク信号の値を前記メインメモリに記憶し、前記トルクセンサのゼロ点トルク値を較正するゼロ点トルク値の較正ステップと
を含むことを特徴とするトルクセンサの較正方法。
【請求項６】
ゼロ点トルク値の較正ステップは、電動駆動装置がウォームを介して被動体の全開または全閉に保持する停止状態から、逆方向に逆転起動させたとき、前記ウォームと被動体に連結するステムとの間に設けられたハンマーブロー生成機構の空転時から衝接時の間に生じるトルクの変化を、演算処理装置がトルクセンサを通じて受信し、トルク曲線を生成する請求項５記載のトルクセンサの較正方法。
【請求項７】
ゼロ点トルク値の較正ステップは、電動駆動装置とウォームとの間に設けられたクラッチ機構が、ハンドル操作による手動駆動モードから前記電動駆動装置による電動駆動モードに切り替える際、前記ウォームの回転変位を検出する開度センサから出力される開度信号が変動しないとき、前記電動駆動装置が空転し前記ウォームが無負荷となる伝達機構空転期間のトルクの変化を、演算処理装置が前記ウォームからトルクセンサを通じて受信し、トルク曲線を生成する請求項５または６記載のトルクセンサの較正方法。
【請求項８】
ゼロ点トルク値の較正ステップは、トルクセンサが伝達機構空転期間に出力したトルク信号の値が基準値の範囲を超えるとき、演算処理装置が前記トルクセンサの故障と判定し、故障報知信号を出力する請求項５〜７のいずれかに記載のトルクセンサの較正方法。
【手続補正２】
【補正対象書類名】明細書
【補正対象項目名】全文
【補正方法】変更
【補正の内容】
【発明の詳細な説明】
【発明の名称】トルクセンサの較正装置およびその較正方法
【技術分野】
【０００１】
本発明は、電動弁駆動装置に使用されるトルクセンサのゼロ点トルク値を、随時、容易にかつ正確に較正するようにした装置および方法に関する。
【背景技術】
【０００２】
この種の電動弁駆動装置に関するものとしては、例えば特許文献１に記載されているように、トルクスイッチの設定値は、弁操作に対して最適値としているが、トルクスイッチ設定ビスの緩み、トルクスプリングの劣化等によってトルクスイッチ設定値が変化する可能性があるため、或る期間毎にトルクスイッチ設定値が適正な値であるかどうかの診断を行う。この診断は、演算処理装置が弁に加えられるスラスト力、電動弁駆動装置の出力を検出するトルクスプリングの変位（トルクスイッチの変位）及びトルクスイッチの動作点情報の関係を測定してトルクスイッチ設定値の校正診断を実行していた。
【０００３】
トルクスイッチ設定値の校正診断は、先ずロードセルをセットして弁棒をロックした後、弁体着座時のリフトのゼロ点を、トルク停止位置のゼロ点に設定し、弁棒を開作動させ、これに伴ってロードセル、トルクスイッチ回転変位センサ及び電気回路（トルクスイッチ信号）センサが動作し、これらのセンサによって弁棒のスラスト力とトルクスイッチ変位との関係を測定し、このトルクスイッチ変位の情報からスラスト力を求める基本データとして別途、格納しておく。一方、演算処理装置がスラスト力とトルクスイッチ変位との関係測定値に基づいてトルクスイッチ動作点のスラスト力を算定し、このスラスト力を予め設定された相関データの許容値と比較して許容値以内であれば正常、範囲外ならば異常または設定不良とそれぞれ診断していた。
【先行技術文献】
【特許文献】
【０００４】
【特許文献１】特開平２−３０７０３３号公報
【発明の開示】
【発明が解決しようとする課題】
【０００５】
上記特許文献１記載のトルクスイッチ設定値の校正診断方法では、弁体着座時のトルクスイッチ回転変位センサには、ステムパッキン等の摺動抵抗が残留トルクとして加わっているため、トルク停止位置のゼロ点とトルクスイッチ回転変位センサのゼロ点との間に誤差が生じ、弁体の全閉または全開停止位置における締付トルクが過大または過小となる場合があり、正確なトルクスイッチ回転変位センサのゼロ点較正を行うことが必要であった。
【０００６】
このようなトルクスイッチ回転変位センサのゼロ点トルク値を較正するには、プラント停止中に、ロードセルを分解点検してトルクスイッチ回転変位センサを、無負荷状態にしてゼロ点トルク値を較正することが好ましいが、このような較正方法では、ロードセルの分解点検作業を実施するまで、トルクスイッチ回転変位センサのゼロ点トルク値が変化したまま弁体が開閉作動するため、弁体の全閉または全開停止位置における締付トルクが過大または過小となるという問題が発生する。
【０００７】
本発明は、上記問題点に鑑みてなされたもので、電動弁駆動装置に使用されるトルクセンサのゼロ点トルク値を、随時、容易にかつ正確に較正するようにした装置および方法を提供することを目的としている。
【課題を解決するための手段】
【０００８】
本発明によると、上記課題は、次のようにして解決される。
(１)  電動駆動装置により正逆回転させられるウォームの軸線方向の移動量に基づいて被動体の開閉に要するトルクを検出する金属製の歪みゲージを有するトルクセンサのゼロ点トルク値を較正する較正装置において、前記トルクセンサのゼロ点トルク値および所定の基準値を記憶するメインメモリと、前記電動駆動装置、トルクセンサ、およびメインメモリに接続され、前記電動駆動装置の起動に応動し、前記トルクセンサから出力されるトルク信号を受信し、該トルク信号が経時的に変化するトルク曲線を生成し、前記電動駆動装置の起動から所定時間が経過する前の前記トルク曲線の変化に基づき、前記電動駆動装置が低負荷となる伝達機構空転期間を算出し、かつ前記トルクセンサが前記空転期間に出力したトルク信号の値が前記基準値の範囲内であるとき、このトルク信号の値を前記メインメモリに記憶し、前記トルクセンサのゼロ点トルク値を較正する演算処理装置とを備えたものとする。
【０００９】
このような構成とすると、電動駆動装置が低負荷となる伝達機構空転期間のトルク値が基準値内であれば、受信したトルク値をゼロ点トルク値として記憶することで、トルクセンサのゼロ点較正を正確に行うことができる。
【００１０】
(２)  上記(１)項において、演算処理装置は、電動駆動装置がウォームを介して被動体の全開または全閉状態に保持する停止状態から、逆方向に逆転起動させたとき、前記ウォームと被動体に連結するステムとの間に設けられたハンマーブロー生成機構の空転時から衝接時の間に生じるトルクの変化を、トルクセンサを通じて受信し、トルク曲線を生成する。
【００１１】
このような構成とすると、ウォームがハンマーブロー発生機構の空転時から衝接時の間に生じるトルクの変化に基づいてトルク曲線を生成するので、プラントに設置された被動体が駆動中に、随時、容易にかつ正確にトルクセンサのゼロ点トルク値を較正することができる。
【００１２】
(３)  上記(１)または(２)項において、電動駆動装置とウォームとの間に設けられたクラッチ機構が、ハンドル操作による手動駆動モードから前記電動駆動装置による電動駆動モードに切り替える際、前記ウォームの回転変位を検出する開度センサから出力される開度信号が変動しないとき、前記電動駆動装置が空転し前記ウォームが無負荷となる伝達機構空転期間のトルクの変化を、前記ウォームからトルクセンサを通じて受信し、トルク曲線を生成する。
【００１３】
このような構成とすると、クラッチ機構が手動駆動モードから電動駆動モードに切り替える際、ウォームの回転変位を検出する開度センサから出力される開度信号が変動しないとき、電動駆動装置が空転しウォームが無負荷となる伝達機構空転期間のトルクの変化に基づいてトルク曲線を生成するので、容易にかつ正確にトルクセンサのゼロ点トルク値を較正することができる。
【００１４】
(４)  上記(１)〜(３)項において、演算処理装置は、トルクセンサが伝達機構空転期間に出力したトルク信号の値が基準値の範囲を超えるとき、前記トルクセンサの故障と判定し、故障報知信号を出力する。
【００１５】
このような構成とすると、トルクセンサが伝達機構空転期間に出力したトルク信号の値が基準値の範囲を超えるとき、トルクセンサの故障と判定するので、弁体の全閉または全開停止位置における締付トルクが過大または過小となることを防止することができる。
【００１６】
(５)  電動駆動装置により正逆回転させられるウォームの軸線方向の移動量に基づいて被動体の開閉に要するトルクを検出する金属製の歪みゲージを有するトルクセンサのゼロ点トルクを較正する較正方法において、前記ウォームを正逆回転させる電動駆動装置を起動する電動駆動装置起動ステップと、演算処理装置が、前記電動駆動装置起動ステップにおける電動駆動装置の起動に応動し、前記トルクセンサから出力されるトルク信号を受信し、該トルク信号が経時的に変化するトルク曲線を生成し、前記電動駆動装置の起動から所定時間が経過する前の前記トルク曲線に基づき前記電動駆動装置が低負荷となる伝達機構空転期間を算出し、かつ前記トルクセンサが前記伝達機構空転期間に出力したトルク信号の値がメインメモリに記憶する基準値の範囲内であるとき、このトルク信号の値を前記メインメモリに記憶し、前記トルクセンサのゼロ点トルク値を較正するゼロ点トルク値の較正ステップと
を含むものとする。
【００１７】
このような構成とすると、電動駆動装置が低負荷となる伝達機構空転期間のトルク値が基準値内であれば、取得したトルク値をトルクセンサのゼロ点トルク値として記憶することで、正確な較正を行うことができる。
【００１８】
(６)  上記(５)項において、ゼロ点トルク値の較正ステップは、電動駆動装置がウォームを介して被動体の全開または全閉に保持する停止状態から、逆方向に逆転起動させたとき、前記ウォームと被動体に連結するステムとの間に設けられたハンマーブロー生成機構の空転時から衝接時の間に生じるトルクの変化を、演算処理装置がトルクセンサを通じて受信し、トルク曲線を生成する。
【００１９】
このような構成とすると、ウォームがハンマーブロー発生機構の空転時から衝接時の間に生じる伝達機構空転期間のトルクの変化に基づいてトルク曲線を生成するので、プラントに設置された被動体の駆動中に、随時、容易にかつ正確にトルクセンサのゼロ点トルク値を較正することができる。
【００２０】
(７)  上記(５)または(６)項において、ゼロ点トルク値の較正ステップは、電動駆動装置とウォームとの間に設けられたクラッチ機構が、ハンドル操作による手動駆動モードから前記電動駆動装置による電動駆動モードに切り替える際、前記ウォームの回転変位を検出する開度センサから出力される開度信号が変動しないとき、前記電動駆動装置が空転し前記ウォームが無負荷となる伝達機構空転期間のトルクの変化を、演算処理装置が前記ウォームからトルクセンサを通じて受信し、トルク曲線を生成する。
【００２１】
このような構成とすると、クラッチ機構が手動駆動モードから電動駆動モードに切り替える際、電動駆動装置が空転しウォームが無負荷となる伝達機構空転期間のトルクの変化に基づいてトルク曲線を生成するので、容易にかつ正確にトルクセンサのゼロ点トルク値を較正することができる。
【００２２】
(８)  上記(５)〜(７)項において、ゼロ点トルク値の較正ステップは、トルクセンサが伝達機構空転期間に出力したトルク信号の値が基準値の範囲を超えるとき、演算処理装置が前記トルクセンサの故障と判定し、故障報知信号を出力する。
【００２３】
このような構成とすると、トルクセンサが伝達機構空転期間に出力したトルク信号の値が基準値の範囲を超えるとき、トルクセンサの故障と判定するので、弁体の全閉または全開停止位置における締付トルクが過大または過小となることを防止することができる。
【発明の効果】
【００２４】
本発明によると、電動弁駆動装置に使用されるトルクセンサのゼロ点トルク値を、随時、容易にかつ正確に較正するようにした装置および方法を提供することができる。
【図面の簡単な説明】
【００２５】
【図１】本発明の実施形態のトルクセンサの較正装置のブロック図である。
【図２】図１の較正装置が制御する電動弁の要部斜視図である。
【図３】図１の較正装置に設けられるトルクセンサの縦断面図である。
【図４】図３のトルクセンサにおける基板の正面図である。
【図５】弁を全閉から全開へ動作させたときのトルク曲線を示す図である。
【図６】弁を全開から全閉へ動作させたときのトルク曲線を示す図である。
【図７】弁を中間開度から開動作させたときのトルク曲線を示す図である。
【図８】弁を中間開度から閉動作させたときのトルク曲線を示す図である。
【図９】弁を手動開動作させた後、電動で開動作させたときのトルク曲線を示す図である。
【図１０】弁を手動閉動作させた後、電動で開動作させたときのトルク曲線を示す図である。
【図１１】弁を手動開動作させた後、電動で閉動作させたときのトルク曲線を示す図である。
【図１２】弁を手動閉動作させた後、電動で閉動作させたときのトルク曲線を示す図である。
【図１３】図１のトルクセンサ較正装置の処理の流れを示すフロー図である。
【図１４】図１の較正装置が制御する他の電動弁の要部斜視図である。
【発明を実施するための形態】
【００２６】
以下、本発明の一実施形態を、図面に基づいて説明する。
図１に示すように、トルクセンサの較正装置１は、電動駆動装置(モータ)２により正逆回転させられるウォーム３と、ウォーム３の回転変位を被動体(弁体)の開度として検出するエンコーダからなる開度センサ４と、ウォーム３の軸線方向の移動量に基づいて負荷トルクを検出する金属製の歪みゲージを有するトルクセンサ５と、電動駆動装置２、開度センサ４、トルクセンサ５に電気的に接続するコントローラ６とを備えている。
【００２７】
コントローラ６は、内部に、演算処理装置(ＣＰＵ)７と、読み出し専用メモリ(ＲＯＭ)８と、メインメモリ９と、これらを相互に接続するバス１０とを備え、演算処理装置(ＣＰＵ)７が可逆電磁開閉器１１を介して電動駆動装置２の正逆回転を制御し、メインメモリ９が開度センサ４およびトルクセンサ５の出力信号とゼロ点のトルクデータとを一時記憶し、読み出し専用メモリ８が弁制御プログラムおよび基準値データを記憶している。なお、基準値データは、読み出し専用メモリ８に記憶してもよく、処理速度を向上させるためメインメモリ９に記憶してもよい。
【００２８】
コントローラ６は、外部の操作部１２から指令信号を受信し、弁制御プログラムおよび診断プログラムを演算処理装置７に実行させ、演算処理装置７の演算結果をメインメモリ９に一時記憶させることができる。また、外部の操作部１２から履歴出力信号を受信し、メインメモリ９に一時記憶するトルク曲線データやゼロ点トルク値データを較正日時に対応させて外部の記憶装置１３へ転送させることもでき、この外部の記憶装置１３をコントローラ６から取出して図外のコンピュータに接続し弁体の駆動履歴を検証することができる。
【００２９】
図２に示すように、電動弁１４は、中央部に、左右方向を向くウォーム軸１５が枢設され、ウォーム軸１５には、円筒状のウォーム３が一体に刻設されている。
【００３０】
ウォーム軸１５の左端は、平歯車１６、１７からなる減速機構とクラッチ１８とを介して、電動駆動装置２に連結されて、正逆方向に回転しうるようになっており、かつ１対の平歯車１９、２０を介して、右端に手動ハンドル２１を設けたハンドル軸２２にも連係されており、クラッチ１８を切って、手動ハンドル２１の回転操作により回転させることもできる。
【００３１】
ウォーム軸１５の右端には、トルクセンサ５が、嵌合され、ウォーム３は予め定めた中立位置に向かって左右方向より付勢されている。ウォーム軸１５におけるウォーム３の右側に刻設した小ウォーム２３には、小ウォームホイール２４が噛合し、その軸である回転数検出軸２５は、ステム２６の上限と下限を設定するエンコーダからなる開度センサ４に連係されている。
【００３２】
ウォーム３と噛合するウォームホイール２７の内周面には、１対の駆動突起(原動部材)２７ａが１８０°回転した位置に対向して突設されている。
【００３３】
ウォームホイール２７の中央を貫通する上下方向を向くステム２６の下端には、弁体２８が連結されている。
【００３４】
ステム２６の上部の雄ねじ部２６ａには、ウォームホイール２７内に嵌合されたドライブスリーブ２９に、スプライン結合するステムナット内面の雌ねじ部(図示略)が、雄ねじ部２６ａとの間に若干の間隙をもって螺合し、雄ねじ部２６ａと弁体２８との間にステム２６と摺動可能なステムパッキン２６ｂが設けられている。
【００３５】
ドライブスリーブ２９の外周面には、駆動突起２７ａと同一円周上に従動突起２９ａが突設されている。
【００３６】
回転伝達機構は、電動駆動装置２の出力軸２ａからステム２６に螺合するドライブスリーブ２９に回転力を伝達するために、ウォーム軸１５、ウォーム３、ウォームホイール２７、ドライブスリーブ２９を含む要素により形成されている。
【００３７】
ハンマーブロー発生機構は、原動部材であるウォームホイール２７の駆動突起２７ａと、従動部材であるドライブスリーブ２９の従動突起２９ａとにより、ウォームホイール２７の回転方向に所要の遊びをもって係合し、ウォームホイール２７の反転時に、従動突起２９ａが当接していた駆動突起２７ａの一方から離れ、ウォームホイール２７が１８０°回転したとき、駆動突起２７ａの他方に衝接することにより、従動部材側に衝撃力を付与するように形成されている。
【００３８】
ハンマーブロー発生機構では、ウォームホイール２７の反転時に、ウォームホイール２７は空転するだけで、ほとんど負荷は掛からない伝達機構空転期間が発生するので、ウォーム３が中立位置から軸線方向に移動することはほとんどない。
【００３９】
例えばウォームホイール２７が１８０°回転すると、ウォームホイール２７の駆動突起２７ａが、ドライブスリーブ２９の従動突起２９ａに衝接し、そのときの衝撃、すなわちハンマーブローが、ドライブスリーブ２９側に付与されるとともに、その反作用として、ウォームホイール２７からウォーム３側にも付与される。
【００４０】
ウォーム３は、このときの衝撃により、ウォーム軸１５の軸方向にわずかに変位し、その変位がトルクセンサ５により検知される。本実施形態では、ウォームホイール２７が１８０°回転したとき、ハンマーブローが付与されるように例示したが、本発明はこの角度に限定されず、例えばウォームホイール２７が、９０°や６０°に回転したときに駆動突起２７ａが従動突起２９ａに衝接してもよい。
【００４１】
図３に示すように、トルクセンサ５は、円盤状の起歪体３０の中心部に、ナット３１をもってウォーム軸１５の右端部を回転可能に軸支し、起歪体３０の外周を複数のボルト３２をもって電動弁１４のハウジング３３へ固定され、起歪体３０の外側および内側に同周の溝３４が形成されている。この起歪体３０における外側の溝３４内には、歪みゲージが配置され、例えばポリミイド材からなる厚さ１３μｍの基板３０ａが溝３４の底部に接着され、基板３０ａ上に、エッチングによりパターニングした銅ニッケル合金からなる厚さ５μｍの抵抗箔を形成させ、この抵抗箔および基板３０ａの表面に厚さ１２μｍの樹脂膜によりラミネート加工されている。
【００４２】
図４に示すように、トルクセンサ５は、金属製の各抵抗素子Ｒ１、Ｒ２、Ｒ３、Ｒ４(Ω)を、溝３４内に設け、温度補償を向上させるホイートストンブリッジ回路を形成し、ウォーム軸１５の軸方向の荷重に対応する各抵抗素子Ｒ１、Ｒ２、Ｒ３、Ｒ４の抵抗値変化を、電圧の変化に変換して測定することができる。
【００４３】
トルクセンサ５には、例えば第１端子〜第５端子３５〜３９が設けられ、第１端子３５と第３端子３７との間には抵抗体Ｒ１とＲ２とが直列に接続され、第５端子３９と第３端子３７との間には抵抗体Ｒ４とＲ３とが直列に接続され、抵抗体Ｒ１とＲ２との間に第２端子３６が接続され、抵抗体Ｒ３とＲ４との間に第４端子３８が接続されている。
【００４４】
トルクセンサ５は、第１端子３５に図外の補正抵抗を介してブリッジ電圧が引加され、第５端子３９に図外の補正抵抗を介してブリッジ電圧が引加され、第３端子３７には基準電圧が引加されている。荷重方向(図３の矢印)にウォーム軸１５が変位したとき、第２端子３６と第４端子３８との間の電圧は増加し、逆の荷重方向にウォーム軸１５が変位したとき、第２端子３６と第４端子３８との間の電圧は減少することにより、ウォーム軸１５を介して弁体２８の荷重トルクを測定することができる。
【００４５】
金属製の各抵抗素子Ｒ１、Ｒ２、Ｒ３、Ｒ４は、時間の経過と共に、機械的応力や水分による腐食が発生する。この腐食により抵抗値が変化するため、無負荷状態におけるホイートストンブリッジ回路のゼロ点を較正し、正確なトルクを測定するのが好ましい。すなわち、トルクセンサ５が無負荷状態のとき、第２端子３６と第４端子３８との間の電圧がゼロ点のトルク値を示すようになる。
【００４６】
図５は、弁を全閉から全開へ動作させたときのトルク曲線を示す波形図である。演算処理装置７は、トルクセンサ５から出力されるトルク信号を受信し、トルク信号が経時的に変化するトルク曲線を生成する。図中の縦軸は弁棒トルクを示し、図中の横軸は経過時間を示している。
【００４７】
演算処理装置７は、電動駆動装置２により弁体２８を全閉状態にした後、読み出し専用メモリ８からメインメモリ９へ転送した弁制御プログラムを実行し、トルクセンサ５から出力されるトルク信号を受信し、弁棒トルクのトルク曲線を生成し、この弁棒トルクの値をメインメモリ９に記憶する。
【００４８】
図５に示す時間Ｔ０から時間Ｔ１の間は、電動駆動装置７の起動前における弁体２８の閉時保持トルクが示されており、時間Ｔ１では、演算処理装置７が電動駆動装置２を逆回転に起動させたとき、弁体２８の閉時保持トルクからゼロ点トルクへ遷移するトルク曲線を生成し、トルクセンサ５のゼロ点トルクの値を測定している。なお、図下部には、演算処理装置７が測定する電動駆動装置２の駆動電流値が示されており、モニター上に表示するトルク曲線と電動駆動装置２の起動開始時期とを対応させて目視により確認することができる。
【００４９】
図５の時間Ｔ１から時間Ｔ２の間は、ウォームホイール２７が空転している伝達機構空転期間であって、演算処理装置７がトルクセンサ５から弁棒トルクのゼロ点トルク値を受信している。この際、時間Ｔ１では、ウォームホイール２７における一方の駆動突起２７ａが、ドライブスリーブ２９の従動突起２９ａから離れ、時間Ｔ２では、ウォームホイール２７における他方の駆動突起２７ａが、ドライブスリーブ２９の従動突起２９ａに衝接し、そのときの衝撃、すなわちハンマーブローが発生し、弁棒トルクがゼロ点トルクから引っ張り方向に作用している。
【００５０】
図５における演算処理装置７は、電動駆動装置２の起動から所定時間が経過するまで、トルク曲線の変化を監視し、閉時保持トルクからゼロ点トルクに変動した時間Ｔ１とハンマーブローが発生した時間Ｔ２との間が伝達機構空転期間であると判定し、時間Ｔ１と時間Ｔ２との間に受信したトルク信号とメインメモリ９に記憶する基準値とを比較し、所定の範囲内であるとき、トルク信号の値をトルクセンサ５のゼロ点トルク値としてメインメモリ９に記憶する。なお、演算処理装置７は、前記時間Ｔ１から時間Ｔ２の間におけるトルク信号の最大値、最小値、中間値、平均値のいずれか１つを算出してゼロ点トルク値を較正すればよい。
【００５１】
さらに、演算処理装置７は、時間Ｔ１と時間Ｔ２との間に受信したトルク信号とメインメモリ９に記憶する基準値とを比較し、所定の範囲を超えるときにはトルクセンサ５の故障と判定して故障報知信号をコントローラ６に接続されたモニタ(図示略)に出力することもできる。
【００５２】
図５の時間Ｔ２から時間Ｔ３の間は、弁体２８の実開閉時間であり、弁棒トルクがウォーム３とステム２６との間に設けられた駆動力の伝達系がたにより引張方向へ変動し、弁体２８を駆動する伝達機構のがたを吸収し、開度センサ４が出力する開度信号が開方向に変化し、弁体２８の引抜き開始時のトルク変動を経て弁体２８をバックシート側へ移動させる運転トルクに遷移している。この場合、演算処理装置７は、メインメモリ９に記憶するトルクセンサ５のゼロ点トルク値を基準に、弁体２８の引抜きトルクと運転トルクの許容値を算出し、これら許容値を超える弁棒トルクが検出されたとき、異常報知をコントローラ６に接続されたモニタ(図示略)に出力する。
【００５３】
また、時間Ｔ３から時間Ｔ４の間は、弁体２８がバックシートに保持され、慣性トルクにより弁体２８を締め付ける弁棒トルクが引張方向に増加する期間である。この際、時間Ｔ４では、演算処理装置７はトルクセンサ５から出力されるトルク信号に基づき、例えばゼロ点トルク値を基準に所定の引張りトルク値における所定の設定トルク値に達したとき、可逆電磁開閉器１１を作動させて電動駆動装置２を停止させ、弁体２８をバックシートに保持するとともに、慣性トルクを加重した保持トルクにより弁体２８を全開状態に維持させている。これにより演算処理装置７は、メインメモリ９に記憶するトルクセンサ５のゼロ点トルク値を基準に弁体２８をバックシート側に保持する保持トルクを算出し、弁体２８を過剰または過小のトルクで締め付けることを防止することができ、弁体２８やその駆動機構に劣化させることも防止することができる。
【００５４】
本実施形態では、弁を全閉から全開へ動作させたときにゼロ点トルクを較正したが、本発明は、弁の開閉方向に限定されず、弁を全開から全閉へ動作させたときもゼロ点トルクの較正することができる。
【００５５】
図６は、弁を全開から全閉へ動作させたときのトルク曲線を示す波形図である。演算処理装置７は、電動駆動装置２により弁体２８を全開状態にした後、読み出し専用メモリ８からメインメモリ９へ転送した弁制御プログラムを実行し、トルクセンサ５から出力されるトルク信号に基づいて弁棒トルクのトルク曲線を生成する。
【００５６】
図６に示す時間Ｔ５から時間Ｔ６の間は、演算処理装置７が可逆電磁開閉器１１を介して電動駆動装置２を逆回転に起動させたとき、ウォームホイール２７の空転期間の弁棒トルクが出力され、この弁棒トルクがトルクセンサ５のゼロ点トルクのトルク値である。この際、時間Ｔ５では、ウォームホイール２７における一方の駆動突起２７ａが、ドライブスリーブ２９の従動突起２９ａから離れ、時間Ｔ６では、ウォームホイール２７における他方の駆動突起２７ａが、ドライブスリーブ２９の従動突起２９ａに衝接し、そのときの衝撃、すなわちハンマーブローが発生し、弁棒トルクがゼロ点トルクから圧縮方向に作用している。
【００５７】
図６の時間Ｔ６から時間Ｔ７の間は、開度センサ４が出力する開度信号が閉方向に変化し、弁体２８の挿入開始時のトルク変動を経て弁体２８を弁閉シート側へ移動させる運転トルクに遷移している。この時間Ｔ６から時間Ｔ７の間が弁体２８の実開閉時間である。なお、弁体２８が弁閉シートに着座する直前に流体負荷がステム２６に伝達され、弁棒トルクが圧縮方向に変動している。
【００５８】
図６の時間Ｔ７から時間Ｔ８の間は、弁体２８が弁閉シートに保持され、駆動中の電動駆動装置２により弁体２８を締め付ける弁棒トルクが上昇する期間である。この際、時間Ｔ８では、演算処理装置７がトルクセンサ５から出力されるトルク信号が弁体２８を弁閉シートに押しつける所定の設定トルクに達したとき、可逆電磁開閉器１１を介して電動駆動装置２を停止させ、弁体２８を弁閉シート側へ慣性トルクを加重した保持トルクにより全閉状態に維持させている。
【００５９】
図６における演算処理装置７は、バックシート保持トルクからゼロ点トルクに変動した時間Ｔ５とハンマーブローが発生した時間Ｔ６との間がウォームホイール２７が空転する伝達機構空転期間であると判定し、時間Ｔ５と時間Ｔ６との間に受信したトルク信号とメインメモリ９に記憶する基準値とを比較し、所定の範囲内であるとき、トルク信号の値をトルクセンサ５のゼロ点トルク値としてメインメモリ９に記憶する。
【００６０】
また、演算処理装置７は、時間Ｔ５と時間Ｔ６との間に受信したトルク信号とメインメモリ９に記憶する基準値とを比較し、所定の範囲を超えるときにはトルクセンサ５の故障と判定して故障報知信号をコントローラ６に接続されたモニタ(図示略)に出力することもできる。
【００６１】
図７は、弁を中間開度から開動作させたときのトルク曲線を示す図である。
この際、演算処理装置７は、電動駆動装置２により弁体２８を閉動作させ開度１０％の位置に停止保持させた後、時間Ｔ１の時点で電動駆動装置２を逆転起動させる。
【００６２】
この時間Ｔ１より以前の時間Ｔ０では、演算処理装置７が開度１０％の状態で加わる弁体２８の保持トルクを測定している。
【００６３】
図７の時間Ｔ１から時間Ｔ２の間は、演算処理装置７が算出したウォームホイール２７の空転による伝達機構空転期間の弁棒トルクが出力され、この弁棒トルクがトルクセンサ５のゼロ点トルク値である。時間Ｔ１では、ウォームホイール２７における一方の駆動突起２７ａが、ドライブスリーブ２９の従動突起２９ａから離れ、時間Ｔ２では、ウォームホイール２７における他方の駆動突起２７ａが、ドライブスリーブ２９の従動突起２９ａに衝接し、そのときの衝撃、すなわちハンマーブローが発生し、弁棒トルクが開トルク方向に作用し、ドライブスリーブ２９を回転開始させている。
【００６４】
また、時間Ｔ２から時間Ｔ３の間は、弁棒トルクがドライブスリーブ２９とステム２６との間に設けられた駆動力の伝達系がたにより変動し、その後、弁体２８が開度１０％から開度９０％まで移動させる運転トルクに遷移している。この際、時間Ｔ２から時間Ｔ２’の間は、弁体２８とドライブスリーブ２９との間におけるガタ吸収期間であり、時間Ｔ２’から時間Ｔ３の間では、弁棒動き出しによる弁体２８の実開閉時間であり、時間Ｔ３では、演算処理装置７が開度センサ４から出力される開度信号に基づき、例えば開度９０％のとき、可逆電磁開閉器１１を介して電動駆動装置２を停止させ、弁体２８の開動作を停止させている。
【００６５】
同じく、時間Ｔ３から時間Ｔ４の間は、弁体２８が開度９０％に保持され、慣性トルクが減少して弁棒トルクがゼロ点トルク方向に変化する。
【００６６】
図７における演算処理装置７は、閉時保持トルクからゼロ点トルクに変動した時間Ｔ１とハンマーブローが発生した時間Ｔ２との間がウォーム３が空転する伝達機構空転期間であると判定する。
【００６７】
図８は、弁を開度９０％から開度１０％へ閉弁動作させたときのトルク曲線を示す波形図である。この際、演算処理装置７は、電動駆動装置２により弁体２８を開度９０％の状態に開弁動作して停止した後、操作部１２から弁閉動作指令を受信し、読み出し専用メモリ８からメインメモリ９へ転送した弁制御プログラムを実行し、トルクセンサ５から出力されるトルク信号に基づいて弁棒トルクのトルク曲線を生成する。
【００６８】
図８の時間Ｔ５から時間Ｔ６の間は、時間Ｔ５において、演算処理装置７が電動駆動装置２を逆回転に起動させ、ウォーム３が空転する伝達機構空転期間のトルクが出力され、このトルクがトルクセンサ５のゼロ点トルクのトルク値である。この際、時間Ｔ５では、ウォームホイール２７における一方の駆動突起２７ａが、ドライブスリーブ２９の従動突起２９ａから離れ、時間Ｔ６では、ウォームホイール２７における他方の駆動突起２７ａが、ドライブスリーブ２９の従動突起２９ａに衝接し、そのときの衝撃、すなわちハンマーブローが発生し、弁棒トルクがゼロ点トルクから閉トルク方向に作用している。
【００６９】
同様に、時間Ｔ６から時間Ｔ７では、ハンマーブローが伝達された後、弁体２８の挿入開始時のトルク変動を経て弁体２８を開度１０％の方向へ移動させる運転トルクに遷移している。このハンマーブローが伝達された後の弁棒動き出しＴ６’から時間Ｔ７の間が弁体２８の実開閉時間である。この際、時間Ｔ７では、演算処理装置７が開度センサ４から出力される開度信号に基づき、例えば開度１０％に達したとき、可逆電磁開閉器１１を開動作し電動駆動装置２を停止させ、弁体２８を開度１０％の位置に保持させている。
【００７０】
同じく、図８の時間Ｔ７から時間Ｔ８の間は、弁体２８が開度１０％の位置に保持され、慣性トルクがゼロ点トルクの方向に減少する。
【００７１】
図８における演算処理装置７は、伝導駆動装置２を起動させた時間Ｔ５とハンマーブローが発生した時間Ｔ６との間がウォームホイール２７の空転による伝達機構空転期間であると判定し、この伝達機構空転期間のトルク信号をゼロ点トルク値として、弁体２８の運転トルクを制御することができる。
【００７２】
上記実施形態では、演算処理装置７がハンマーブロー発生機構によりウォームホイール２７による伝達機構空転期間を算出または判定し、ゼロ点トルク値を較正したが、本発明は、これらハンマーブロー発生機構を用いた較正方法に限定されない。例えば、図９から図１２に示すように、電動駆動装置２と手動ハンドル２１とを切り替える際に生じる伝達機構空転期間を特定し、ゼロ点トルク値を較正するようにしてもよい。
【００７３】
電動弁１４は、例えば手動ハンドル２１による駆動操作した後、電動駆動装置２を駆動して、駆動にクラッチ１８を切り替える場合、電動駆動装置２によりクラッチ１８を動作させ、電動駆動装置２がウォーム３を駆動するように自動切換を実行する際、クラッチ１８がウォーム軸１５に繋がらないで、開度センサ４から出力する開度信号が変化しないとき、電動駆動装置２が空転しウォーム３が無負荷状態となる伝達機構空転期間が発生する。
【００７４】
この際、演算制御装置７は、電動駆動装置２に対して回転駆動信号を出力していないとき、開度センサ４から出力される開度信号が変化する状態を検知することで、電動弁１４の手動ハンドル２１による手動モードであると判定した後、電動駆動装置２を起動させ、クラッチ１８を手動モードから電動駆動モードへ自動的に切り替え、その後、トルクセンサ５が出力するトルク信号を受信する。
【００７５】
図９は、弁を手動開動作させた後、電動で開動作させたときのトルク曲線を示す波形図である。図９の時間Ｔ０と時間Ｔ１との間は、電動駆動装置２が空転する伝達機構空転期間であり、ウォーム３の無負荷状態のトルクを示している。
【００７６】
図９における演算制御装置７は、電動駆動装置２を起動させ、クラッチ１８を手動ハンドル２１による手動駆動モードから自動的に電動駆動モードに復帰させ、ウォーム３を介してドライブスリーブ２９を回転させて弁体２８の開動作を開始させる。
【００７７】
図９の時間Ｔ０と時間Ｔ１との間には、演算制御装置７がクラッチ１８の切り替え動作にともない、開度センサ４が出力する開度信号が変化しないときのトルクセンサ５から電動駆動装置２の伝達機構空転期間とウォーム３の無負荷状態とを示すトルク信号を受信し、時間Ｔ１に、演算制御装置７がトルクセンサ５からウォーム３を介して、ウォームホイール２７を空転させることなくドライブスリーブ２９が回転駆動するトルク信号を受信してウォーム３を駆動するトルク曲線を生成する。
【００７８】
その際に、演算処理装置７は、トルク曲線の中から電動駆動装置２の伝達機構空転期間を判定する。すなわち、時間Ｔ０から時間Ｔ１まで電動駆動装置２が空転しウォーム３が無負荷状態となる弁棒トルクと、時間Ｔ１以降に、開度センサ４が出力する開度信号が開方向に変化しドライブスリーブ２９の回転開始を示す弁棒トルクとを比較し、ドライブスリーブ２９の回転開始前に発生する電動駆動装置２の伝達機構空転期間を判定することができる。
【００７９】
また、演算処理装置７は、時間Ｔ０から時間Ｔ１の間に、メインメモリ９に記憶したトルク信号の値を、メインメモリ９にゼロ点トルク値として記憶してトルクセンサ５のゼロ点トルクの値を較正することができる。
【００８０】
図１０は、弁を手動閉動作させた後、電動で開動作させたときのトルク曲線を示す波形図である。図１０の時間Ｔ０と時間Ｔ１との間は、電動駆動装置２及びウォームホイール２７が空転する伝達機構空転期間であり、ウォーム３の無負荷状態のトルクを示している。
【００８１】
図１０を、図９に示したトルク曲線と比較すると、図９のドライブスリーブ２９が回転開始しする時間Ｔ１の直前に、図１０においては、ウォームホイール２７の伝達機構空転期間があり、この時間Ｔ１以降は、図５と図７に示すハンマーブロー波形と同じ波形をもって、弁棒トルクが開トルク方向に変動するトルク変化が発生する点が相違する。
【００８２】
この図１０における演算処理装置７は、トルク曲線の中から電動駆動装置２の伝達機構空転期間を判定する。すなわち、同図の時間Ｔ０から時間Ｔ１まで電動駆動装置２及びウォームホイール２７が空転しウォーム３が無負荷状態となる弁棒トルクと、時間Ｔ１以降に、開度センサ４が出力する開度信号が開方向に変化しドライブスリーブ２９の回転開始を示す弁棒トルクとを比較し、ドライブスリーブ２９の回転開始前に発生する電動駆動装置２の伝達機構空転期間を判定することができる。この場合、演算処理装置７では、１回目の弁棒トルク変化と２回目の弁棒トルク変化とを識別し、１回目の弁棒トルク変化が検出されたとき伝達機構空転期間を判定する。
【００８３】
この際、演算処理装置７は、時間Ｔ０から時間Ｔ１の間にメインメモリ９に記憶したトルク信号の値を、メインメモリ９にトルクセンサ５のゼロ点トルク値として記憶し較正することができる。
【００８４】
図１１は、弁を手動開動作させた後、電動で閉動作させたときのトルク曲線を示す波形図である。図１１における時間Ｔ０と時間Ｔ１との間は、図１０と同様に電動駆動装置２及びウォームホイール２７が空転する伝達機構空転期間であり、ウォーム３の無負荷状態のトルクを示している。
【００８５】
この図１１を、前記図１０示したトルク曲線と比較すると、時間Ｔ１にドライブスリーブ２９が回転開始し、その後弁棒トルクが、図１０の出力極性とは逆の閉トルク方向に変動する点が相違する。
【００８６】
この際、演算処理装置７は、時間Ｔ０から時間Ｔ１の間にメインメモリ９に記憶したトルク信号の値を、メインメモリ９にトルクセンサ５のゼロ点トルク値として記録し較正することができる。
【００８７】
図１２は、弁を手動閉動作させた後、電動で閉動作させたときのトルク曲線を示す波形図である。図１２における時間Ｔ０と時間Ｔ１との間は、図９と同様に、電動駆動装置２が空転する伝達機構空転期間であり、ウォーム３の無負荷状態のトルクを示している。
【００８８】
この図１２を、図９示したトルク曲線と比較すると、時間Ｔ１にドライブスリーブ２９が回転開始し弁棒トルクが、図９の出力極性とは逆の閉トルク方向に変動する点が相違する。
【００８９】
この際、演算処理装置７は、時間Ｔ０から時間Ｔ１の間にメインメモリ９に記憶したトルク信号の値を、メインメモリ９にトルクセンサ５のゼロ点トルク値として記憶し較正することができる。
【００９０】
以上のように、図９から図１１の各図における演算処理装置７は、上記のトルク曲線を解析し、同図における時間Ｔ０と時間Ｔ１との間は、開度センサ４が出力する開度信号が変化しないときの電動駆動装置２が空転する伝達機構空転期間に、ウォーム３の無負荷状態のトルクを示すゼロ点トルクとしてメインメモリ９に記憶し、トルクセンサ５のゼロ点トルクの値を較正することができる。以下にトルクセンサ較正装置１の処理工程について説明する。
【００９１】
図１３は、トルクセンサ較正装置の処理の流れを示すフロー図である。
演算処理装置７は、メインメモリ９に一時記憶する弁制御プログラムを読み出して、ウォーム３を正逆回転させる電動駆動装置２を起動させ、エンコーダからなる開度センサ４から出力する開度信号を受信し、ウォーム３の回転変位に従動して弁体２８の開度を検出し、金属製の歪みゲージを有するトルクセンサ５からウォーム３の軸線方向の移動量に基づいて負荷トルクを検出する電動駆動装置起動ステップＳ１を実行する。
【００９２】
演算処理装置７は、電動駆動装置起動ステップＳ１における電動駆動装置の起動に応動し、トルクセンサ５から出力されるトルク信号を受信し、該トルク信号が経時的に変化するトルク曲線を生成し、このトルク曲線に基づき電動駆動装置２が低負荷となる伝達機構空転期間を算出するウォームホイール２７の空転期間算出ステップＳ２を実行し、ハンマーブロー検知ステップＳ３で伝達機構空転期間が終了するハンマーブローを検出するまでウォームホイール２７の伝達機構空転期間算出ステップＳ２を繰り返す。
【００９３】
演算処理装置７は、ハンマーブロー検知ステップＳ３によりハンマーブローを検出したとき、処理をトルクセンサ値記憶ステップＳ４へ分岐させ、トルクセンサ５が伝達機構空転期間に出力したトルク信号の値がメインメモリ９に記憶する基準値の範囲内であるとき、このトルク信号の値をゼロ点トルク値としてメインメモリ９に記憶しゼロ点トルク値を較正する。
【００９４】
演算処理装置７は、トルクセンサ５が伝達機構空転期間に出力したトルク信号の値がメインメモリ９に記憶する基準値の範囲を超えるとき、トルクセンサ５の故障と判定し、故障報知信号を、コントローラ６に接続するモニタ(図示略)に出力することもできる。この場合、演算処理装置７が故障報知信号に応動して電動駆動装置２を、可逆電磁開閉器１１を介して停止させてもよい。
【００９５】
演算処理装置７は、電動駆動装置２により弁体２８を全閉状態または全開状態にするまで、弁体(バルブ)駆動ステップＳ５を実行し、メインメモリ９に記憶する較正されたゼロ点トルク値から弁体２８の全閉状態または全開状態に保持する保持トルクを算出し、電動駆動装置２によりウォーム３を回転させて弁体２８を、全閉状態または全開状態にまで駆動する。
【００９６】
演算処理装置７は、処理を設定トルク判定ステップＳ６に移行させ、開度センサ４から出力する開度信号を受信し、弁体２８が設定トルクに達したとき、メインメモリ９に記憶するゼロ点トルク値を基準に算出する設定トルクをもって弁体２８の駆動を停止し、その後の慣性トルクによるトルク増加を経て、弁体２８を全閉状態または全開状態の保持トルクに保持し、弁駆動処理を終了する。これにより、電動駆動装置２の逆転時における伝達機構空転期間を、弁体２８の開閉動作ごとに算出してトルクセンサ５のゼロ点トルク値を較正するので、弁体２８を保持する保持トルクが過小または過剰となる不具合を未然に防止することができる。
【００９７】
上述のように、本実施形態では、ハンマーブロー発生機構におけるウォームホイール２７の空転による伝達機構空転期間を検出し、この伝達機構空転期間におけるトルクセンサ５から出力されるトルク信号を、トルクセンサ５のゼロ点トルクとして較正するように説明したが、本発明はハンマーブロー発生機構によるゼロ点トルクの較正工程に限定されず、クラッチ１８の切り替えによる電動駆動装置２の伝達機構空転期間を検出し電動弁駆動装置に使用されるトルクセンサ５のゼロ点トルク値を、随時、容易にかつ正確に較正するようにした装置および方法を提供することができる。
【００９８】
例えば演算処理装置７は、ハンマーブロー検知ステップＳ３において、クラッチ１８の切り替え動作に伴い、電動駆動装置２の伝達機構空転期間を算出し、トルクセンサ値記憶ステップＳ４において、トルクセンサ５が電動駆動装置２の伝達機構空転期間に出力したトルク信号の値と基準値とを比較し、基準値の範囲内であるとき、トルク信号の値をゼロ点トルク値としてメインメモリ９に記憶しゼロ点トルクを較正することもできる。この場合、設定トルク判定ステップＳ６では、トルクセンサ５から出力されたトルク信号が所定の停止トルクに達したとき、メインメモリ９に記憶するゼロ点トルク値を基準に算出する保持トルクをもって弁体２８を全開または全閉状態に保持してもよい。これにより、電動駆動装置２の逆転時における伝達機構空転期間を、弁体２８の開閉動作ごとに算出してトルクセンサ５のゼロ点トルク値を較正するので、弁体２８を保持する保持トルクが過小または過剰となる不具合を未然に防止することができる。
【００９９】
図１４は、他の電動弁の要部斜視図である。電動弁は、上部に手動ハンドル２１、手動ハンドル軸２２、ウォームホイール２７、駆動突起２７ａ、ドライブスリーブ２９、従動突起２９ａを備え、従動突起２９ａはドライブスリーブ２９に対して上下方向に摺動可能にスプライン結合され、図外のクラッチ１８を動作させ従動突起２９ａを手動ハンドル軸２２側に上方移動させることにより、手動モードに切り替わり、電動駆動装置２の起動により従動突起２９ａを、ウォームホイール２７側へ下方移動させることにより、従動突起２９ａが駆動突起２７ａに当接し、電動モードに切り替えることができる。
【０１００】
手動モードにおける電動弁では、ドライブスリーブ２９と手動ハンドル軸２２とを連結させ、手動ハンドル２１の回転により、弁体２８を上下方向に駆動可能状態のとき、ウォームホイール２７とドライブスリーブ２９との連結が解除された状態である。つまり、ウォームホイール２７には慣性トルクまたは保持トルクが引加されていない状態であり、ウォームホイール２７に噛合する図外のウォーム３が無負荷状態である。したがって、ウォーム３に連結するトルクセンサ５が無負荷状態のトルクを測定することができ、例えば手動モードから電動モードへ復帰させるため電動駆動装置２を起動した際、トルクセンサ５から出力するトルク信号の値を、トルクセンサ５のゼロ点トルクの値として較正することにより、弁体２８の全開または全閉状態における保持トルクを算出することができる。
【符号の説明】
【０１０１】
１  トルクセンサの較正装置
２  電動駆動装置(モータ)
２ａ出力軸
３  ウォーム
４  開度センサ
５  トルクセンサ
６  コントローラ
７  演算処理装置(ＣＰＵ)
８  読み出し専用メモリ(ＲＯＭ)
９  メインメモリ(ＲＡＭ)
１０  バス
１１  可逆電磁開閉器
１２  操作部
１３  記憶装置
１４  電動弁
１５  ウォーム軸
１６  平歯車
１７  平歯車
１８  クラッチ
１９  平歯車
２０  平歯車
２１  手動ハンドル
２２  手動ハンドル軸
２３  小ウォーム
２４  小ウォームホイール
２５  回転数検出軸
２６  ステム
２６ａ雄ねじ部
２６ｂステムパッキン
２７  ウォームホイール
２７ａ駆動突起
２８  被動体(弁体)
２９  ドライブスリーブ
２９ａ従動突起
３０  起歪体
３０ａ基板
３１  ナット
３２  ボルト
３３  ハウジング
３４  溝
３５  第１端子
３６  第２端子
３７  第３端子
３８  第４端子
３９  第５端子
【手続補正３】
【補正対象書類名】図面
【補正対象項目名】全図
【補正方法】変更
【補正の内容】
【図１】
2013007600.tif 000001
【図２】
2013007600.tif 000002
【図３】
2013007600.tif 000003
【図４】
2013007600.tif 000004
【図５】
2013007600.tif 000005
【図６】
2013007600.tif 000006
【図７】
2013007600.tif 000007
【図８】
2013007600.tif 000008
【図９】
2013007600.tif 000009
【図１０】
2013007600.tif 000010
【図１１】
2013007600.tif 000011
【図１２】
2013007600.tif 000012
【図１３】
2013007600.tif 000013
【図１４】
2013007600.tif 000014